Podtech/llm-jp-corpus-v4-ja_patent huggingface dataset:
(57)【要約】【課題】  表面スケールの除去や下地処理を不要とし、黒皮鋼材のままの使用であっても所望の耐食性を奏する高耐食黒皮鋼材を提供することを目的とする。【解決手段】  表面が酸化物層で覆われた鋼材の亀裂部にリン酸塩皮膜を形成したことを特徴とする。また、前記リン酸塩皮膜の金属イオンがCaイオンもしくはMgイオンであることを特徴とする。したがって、耐食性が向上する。また、工程が簡素になり製造コストの低減を図ることができる。さらに、実施工に際しては、黒皮のままの屋外使用が可能になると共に、耐食性の向上により電着塗装やコンクリートとの密着性が低下することがない。【特許請求の範囲】
【請求項１】
表面が酸化物層で覆われた鋼材の亀裂部にりん酸塩皮膜を形成したことを特徴とする高耐食黒皮鋼材。
【請求項２】
前記りん酸塩皮膜の金属イオンがCaイオンもしくはMgイオンであることを特徴とする請求項１に記載の高耐食黒皮鋼材。
【発明の詳細な説明】
【技術分野】
【０００１】
本発明は、鉄鋼材料、特に、熱間圧延ままで表面が酸化物層（本発明において「表面スケール」と称す）によって覆われている鉄鋼材料（本発明において「黒皮鋼材」と称す）であって、耐食性を向上するための耐食性向上処理がなされた高耐食黒皮鋼材に関する。なお、本発明における黒皮鋼材とは、厚鋼板、薄鋼板、形鋼、鋼管、棒鋼、鋼線等を含むものである。
【背景技術】
【０００２】
従来、建築・土木用途などに用いられる黒皮鋼材は1次保管時、倉庫など屋根のある場所で一部は保管されるものの、屋外で野積みされることが多い。特に、屋外で保管された鋼材は錆が発生し、著しく外観を損なう上、無塗装でコンクリート中に埋めて使用する場合には、コンクリート密着性が低下したりする。このような錆発生による外観劣化は屋内でも長期保管されることによってたびたび生じる。
一方、塗装して使用する場合には、塗装密着性ならびに塗装後耐食性を向上させる目的で塗装前処理としてショットブラスト等による黒皮除去処理を施す。保管時に錆が発生していても、このとき錆が落とされてしまうので、直接問題とはならない。塗装密着性を向上させる目的で「下地処理」としてりん酸処理が施される場合があった。該下地処理としては、亜鉛めっきを施すものや亜鉛等の微粒子をショットブラストするものがある。（例えば、特許文献１参照）。
【特許文献１】特開昭６２−８３４７７号公報（２−３頁）
【発明の開示】
【発明が解決しようとする課題】
【０００３】
しかしながら、前記耐食性向上方法は、黒皮鋼材の表面スケールを除去した地鉄表面に対して処理されるものであるため、該除去のための作業が発生するという問題があった。また、該除去が不完全な部位においては塗装後の耐食性が向上しないという問題があった。さらに、該除去の後で所定の下地処理のための作業が発生するという問題があった。
【０００４】
本発明は上記問題を解決するためのものであり、表面スケールの除去や下地処理を不要とし、黒皮鋼材のままの使用であっても所望の耐食性を奏する高耐食黒皮鋼材を提供することを目的とする。
【課題を解決するための手段】
【０００５】
（１）本発明は、表面が酸化物層で覆われた鋼材の亀裂部にりん酸塩皮膜を形成したことを特徴とする耐食性に優れた黒皮鋼材。
【０００６】
（２）また、前記りん酸塩皮膜の金属イオンがCaイオンもしくはMgイオンであることを特徴とする。
【発明の効果】
【０００７】
したがって、本発明の高耐食黒皮鋼材によれば、黒皮鋼材の表面スケールに生じている亀裂部にりん酸塩皮膜を形成されるから、耐食性が向上する。また、黒皮鋼材の表面スケールを除去する作業が発生しないから、工程が簡素になり製造コストの低減を図ることができる。さらに、実施工に際しては、黒皮のままの屋外使用が可能になると共に、耐食性の向上により電着塗装やコンクリートとの密着性が低下することがない。
【発明を実施するための最良の形態】
【０００８】
本発明の実施形態に係る高耐食黒皮鋼材は、黒皮鋼材をりん酸イオンを含む溶液に浸漬する工程と、該浸漬する工程の後、前記黒皮鋼材を乾燥する工程とによって製造される。なお、りん酸イオンとは、（ＰＯ4）3-、（ＨＰＯ4）2-、または（Ｈ2ＰＯ4）- をいう。
すなわち、熱間圧延された黒皮鋼材は、脱脂や予熱をすることなく、前記溶液に浸漬されるものである。なお、黒皮鋼材の表面スケールは種々の酸化物（酸化性や導電性を具備または不備のもの等）から構成され、それぞれ温度に対する線膨張係数が相違している。このため、熱間圧延後の冷却過程において、様々な亀裂が発生している。したがって、前記浸漬によって、前記亀裂には前記溶液が侵入することになる。
【０００９】
そして、前記亀裂に前記溶液が侵入している黒皮鋼材は、前記亀裂にりん酸塩皮膜が生成されることになる。すなわち、地鉄表面がりん酸塩皮膜によって覆われることにより耐食性が格段に向上する。
よって、前記亀裂の底部において地鉄表面が露出することなく、また、前記亀裂の底部への水侵入が効果的に防止されるから、前記黒皮鋼材の耐食性が格段に向上する。また、該耐食性の格段の向上によって、前記黒皮鋼材を黒皮ままで使用した場合であっても錆の発生が抑えられるから、コンクリートや電着塗装の密着性が低下することがない。また、前記工程が簡素であって、特別の装置を必要としないから、低コストで高い耐食性を奏する黒皮鋼材が得られる。
【００１０】
なお、前記浸漬は、前記亀裂に前記溶液を侵入させることを目的とするものであるから、該目的を満たす限り、前記溶液を噴射（スプレー）したり塗布（刷毛塗り）したりしてもよい。
【００１１】
表１は本発明の実施形態に係る黒皮鋼材における耐食性向上効果を示すものであって、塩類の種類による耐食性向上効果である。本鋼材は熱間処理された後、脱脂や予熱することなく、各種金属塩類溶液濃度１０%で、溶液温度を５０℃に調整後、鋼材を５秒間浸漬し、浸漬後乾燥し耐食性を評価した。耐食性評価は、２８日間の屋内暴露および屋外暴露（広島県福山市にて、平成１５年１２月）後の表面状況を観察して判断した。
表１において、二重丸(◎)は錆の発生がほとんどなくて熱間圧延後の光沢のある黒皮が残っているもの、一重丸（○）は軽度の錆が発生しているもの、バツ（×）は錆が密集しているものを示す。
【００１２】
表１において、比較例１は無処理のものである。比較例２〜５はりん酸イオンを含まない塩類で、実施例１〜５はりん酸塩の金属イオンの種類を変えたものである。
表１より、りん酸イオンを含む塩類を鋼材の亀裂部に皮膜を形成させた実施例１〜５は耐食性向上効果が認められ、特に、金属イオンがMgイオンからなる実施例１およびCaイオンからなる実施例３は耐食性向上効果が顕著である。
【００１３】
【表１】
2005290443.tif 000002
【産業上の利用可能性】
【００１４】
以上のように本発明によれば、黒皮鋼材の表面スケールに生じている亀裂部にりん酸塩皮膜が形成されるから、板、管、棒等の各種形態の高耐食黒皮鋼材として広く利用することができる。
(57)【要約】    【課題】  軟弱地盤における盛土についての効果的な耐震対策を施した盛土構造体を提供することである。    【解決手段】  本発明の盛土構造体（１０、２０）は、盛土構造体の下部のほぼ全体にわたってほぼ水平方向に延びた剛性体（１２、２２）と、剛性体の下方に配置されたドレーン（１４、２４）とを備えていることを特徴とする。剛性体は、鋼板、矢板などの廃棄材を防蝕加工したもの、又は、土砂、コンクリート塊、Ｈ型鋼、鋼板、矢板などの材料をセメントで固化したもので形成されている。ドレーンは好ましくは、外水区域方向には延びず、内水区域方向に延びるように配置されている。【選択図】  図１
2005290712.tif 000002
【特許請求の範囲】
【請求項１】
耐震対策を施した盛土構造体であって、
盛土構造体の下部のほぼ全体にわたってほぼ水平方向に延びた剛性体と、
前記剛性体の下方に配置されたドレーンとを備えていることを特徴とする盛土構造体。
【請求項２】
前記剛性体が、鋼板、矢板などの廃棄材を防蝕加工したもの、又は、土砂、コンクリート塊、Ｈ型鋼、鋼板、矢板などの材料をセメントで固化したもので形成されていることを特徴とする請求項１に記載の盛土構造体。
【請求項３】
前記ドレーンが、外水区域方向には延びず、内水区域方向に延びるように配置されていることを特徴とする請求項１又は２に記載の盛土構造体。
【発明の詳細な説明】
【技術分野】
【０００１】
本発明は、耐震対策を施した盛土構造体に関する。
【背景技術】
【０００２】
軟弱地盤に堤防などの盛土をした場合、基礎地盤が液状化すると、盛土が地耐力を失って損壊することがある。堤防などの盛土に対する地震時の液状化については、一般的に、法面勾配を緩くする、盛土材料の軽量化を図る、基礎地盤を改良する、地下水を抜くなどの対策がとられているが、現時点では、万全の対策法がないのが実情である。また、盛土の不等沈下対策として、盛土の下部に剛体を配置する方法も考えられるが、コスト高となる、解析が難しく万が一損壊した場合に修復が困難であるなどの理由から、採用されていない。
【発明の開示】
【発明が解決しようとする課題】
【０００３】
上述のように、軟弱地盤における盛土の耐震対策が困難であるため、恒久的な対策を施さない状態で施工し、地震の発生の度に盛土の破損決壊個所を修復しながら運用しているのが現状であり、破損後修復工事が完了する前に洪水が発生した場合の安全性については不十分な状況にある。このような状況下において、軟弱地盤における盛土についての効果的な耐震対策に対する要請がある。
【０００４】
したがって、本発明は、軟弱地盤における盛土についての効果的な耐震対策を施した盛土構造体を提供することを目的としている。
【課題を解決するための手段】
【０００５】
本願請求項１に記載の耐震対策を施した盛土構造体は、盛土構造体の下部のほぼ全体にわたってほぼ水平方向に延びた剛性体と、前記剛性体の下方に配置されたドレーンとを備えていることを特徴とするものである。
【０００６】
本願請求項２に記載の耐震対策を施した盛土構造体は、前記請求項１の盛土構造体において、前記剛性体が、鋼板、矢板などの廃棄材を防蝕加工したもの、又は、土砂、コンクリート塊、Ｈ型鋼、鋼板、矢板などの材料をセメントで固化したもので形成されていることを特徴とするものである。
【０００７】
本願請求項３に記載の耐震対策を施した盛土構造体は、前記請求項１又は２の盛土構造体において、前記ドレーンが、外水区域方向には延びず、内水区域方向に延びるように配置されていることを特徴とするものである。
【発明の効果】
【０００８】
本発明によれば、廃棄材や現地発生材を使用することにより、現地の特性に合った経済的な耐震対策を施すことができる。また、本発明によれば、不等沈下の防止および沈下変位量の減少を図ることができる。また、本発明によれば、剛性体を配置することにより、盛土材への地下水の上昇を防ぐことができ、ドレーン効果を高めることができる。さらに、本発明によれば、ドレーンを配置することにより、地下水による間隙圧の上昇を防ぎ、盛土構造体の液状化に対する安定性を増大させることができる。
【発明を実施するための最良の形態】
【０００９】
次に図面を参照して、本発明の好ましい実施の形態に係る盛土構造体について詳細に説明する。図１は、本発明の好ましい実施の形態に係る盛土構造体を示した概略図である。図１において全体として参照符号１０で示される本発明の好ましい実施の形態に係る盛土構造体は、下部のほぼ全体にわたってほぼ水平方向に延びた剛性体１２を備えている。剛性体１２としては、鋼板、矢板などの廃棄材を防蝕加工したものが用いられる。なお、図１には、上下２つの剛性体１２が示されているが、剛性体１２の配置数を１基にしてもよく、３基以上にしてもよい。
【００１０】
剛性体１２を盛土構造体１０の下部に配置したことにより、盛土構造体１０の内部において発生する応力が均一に分散され、盛土構造体１０自体の不等沈下を防止することができる。
【００１１】
盛土構造体１０の剛性体１２の下方には、ドレーン１４が配置されている。ドレーン１４としては、排水マット、砂利層などが用いられる。なお、ドレーン１４は、外水区域方向には延びず、内水区域方向に延びるように配置するのが好ましい。ドレーン１４が外水区域方向に延びないようにしたのは、外水区域から内水区域に水が抜けないようにするためである。
【００１２】
ドレーン１４を配置したことにより、地下水の間隙圧の上昇および地下水の盛土構造体１０への侵入を防止し、基礎地盤の地下内において液状化が発生した場合であっても、盛土構造体１０の沈下量の均等化を図り、盛土構造体１０全体として変位させることができる。
【００１３】
図２は、盛土構造体１０の変形形態を示した概略図である。図２に示される盛土構造体２０は、剛性体２２として、土砂やコンクリート塊などの材料をセメントで固化したもの、又は剛性を高めるためＨ型鋼、鋼板、矢板などをセメントで固化したものを用いている点を除いて、盛土構造体１０と実質的に同一の構成を有している。図２において、参照符号２４はドレーンを示している。
【００１４】
なお、剛性体１２、２２を配置する範囲は、盛土構造体の設置個所の地盤の状況、使用材料の強度（弾性係数）に応じて決定される。また、ドレーン１４、２４を配置する範囲や材質なども、盛土構造体の設置個所の地盤の状況に応じて決定される。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００１６】
【図１】本発明の好ましい実施の形態に係る盛土構造体を示した概略図である。
【図２】盛土構造体の変形形態を示した概略図である。
【符号の説明】
【００１７】
１０、２０  盛土構造体
１２、２２  剛性体
１４、２４  ドレーン
【図１】
2005290712.tif 000003
【図２】
2005290712.tif 000004
(57)【要約】      （修正有）【課題】病院などでの手術後の医療等に用いる肌着であって、治療がしやすく、患者の苦痛をやわらげる事ができる医療用治療肌着を提供する。【解決手段】治療用肌着に、肩、腕、足、胸等の各所に治療用開閉口を設けたものであり、開閉箇所をマジックテープで、開閉する医療用治療肌着。【選択図】図１
2005290652.tif 000002
【特許請求の範囲】
【請求項１】
治療肌着に、治療箇所の開閉を設けたことを特徴とする。
【請求項２】
前記、治療肌着は開閉箇所をマジックテープで、開閉することを特徴とする請求項１記載の医療用治療肌着。
【発明の詳細な説明】
【技術分野】
【０００１】  この発明は、病院等での治療に用いる、医療肌着の形状に関する。
【背景技術】
【０００２】  従来の病院等の治療に用いる医療肌着の形状は、未だかつて使用されていない。だが、図１の示すようにマジックテープでの開閉口が設けられたものである。
【発明の開示】
【発明が解決しようとする課題】
【０００３】しかしながら、以上の技術によれば、治療の時に毎日毎日、肌着及び医療パジャマを脱がなくてはいけなく、特に手術後は痛みがひどく、大変な作業であった。
そこで、この発明は、治療がしやすく、患者の苦痛をやわらげる事を提供することを課題とする。
【課題を解決するための手段】
【０００４】  以上の課題を解決するために、第一発明は肩、腕、足、胸等の各所に治療用開閉口を設けたことを特徴とする、医療用肌着である。
また、第二発明は、治療用肌着に開閉口を設け、この開閉口はマジックテープで開閉することを、特徴とする。
【発明の効果】
【０００５】  第一発明、第二発明によれば、治療用肌着に肩、腕、足、胸等の開閉口を設けた事により、病院等での治療がしやすくスピード化され、患者の痛みがやわらぐ。
【発明を実施するための最良の形態】
【０００６】  この発明の一実施形態を、図１に示す。
この肌着及び医療用パジャマの本体は布製であり、この本体１肩、腕、足、胸等に布製の開閉口が、一体的に設けられている。この開閉口には、マジックテープが設けられている。【０００７】「実施形態の効果」
この実施形態によれば、このマジックテープの働きで治療をするとき、しやすい。したがって、患者さんの痛みが少なく、開閉がマジックテープなので簡単である。ファスナー等による、肌に感じる冷たさなども、布そのものだから違和感も少ない。【０００８】「他の実施形態」
図１の実施形態では、開閉時は何ヶ所かのマジックテープであったが、他の実施形態では肌に触れないようにする。ファスナー形式を設けたものでも良い。
【図面の簡単な説明】
【０００９】
【図１】この発明の一実施形態を示す斜視図である。
【図２】従来技術を示す斜視図である。
【符号の説明】
【００１０】      １、治療用肌着本体
２、治療用開閉口
３、マジックテープ
【図１】
2005290652.tif 000003
【図２】
2005290652.tif 000004
【手続補正書】
【提出日】平成16年6月10日(2004.6.10)
【手続補正３】
【補正対象書類名】図面
【補正対象項目名】全図
【補正方法】変更
【補正の内容】
【図１】
2005290652.tif 000005
【図２】
2005290652.tif 000006
(57)【要約】      （修正有）【課題】パンツの下腹部に付属させた使いすてカイロを低温やけどを起こさせずに、かつ位置を保つようにすること。【解決手段】通常のパンツよりまたがみを深くとった下着としてのパンツの下腹部にあたる部分にカイロ収納袋１を設け、使いすてカイロを収納することで、就寝時に用いても脱落することがない。収納袋の裏側の肌に接する部分の布は厚手のもので、カイロの熱が緩和されて伝わることから、長時間用いても、低温やけどを起こすことがない。【選択図】図１
2005290651.tif 000002
【特許請求の範囲】
【請求項１】
パンツのまたがみを通常のものより深くとって、またのつけねから、パンツの上端に至るスペースを広くとり、下腹部にあたる部分に使いすてカイロを付属させることのできる、または付属させた下着としてのパンツ。
【発明の詳細な説明】
【技術分野】
【０００１】  本発明は、使いすてカイロでぼうこうに近い下腹部をあたため、就寝時等に起きる尿意の回数を減少させる目的で、パンツの股のつけねから上の部分を通常のものより深くとって、その下腹部にあたる部分に、使いすてカイロを付属させることのできる、又は付属させた下着としてのパンツに関するものである。
【背景技術】
【０００２】  従来、就寝時等における尿意の回数を減少させる目的で、パンツの下腹部にあたる部分に使いすてカイロを付属させることのできる、又は付属させた下着としてのパンツは無かった。下腹部に使いすてカイロを用いようとすると、下着や着衣の上から貼るか、はさみ込むしかない。
【発明の開示】
【発明が解決しようとする課題】
【０００３】  下腹部に使いすてカイロを用いようとすると、下着や着衣の上から貼るか、はさみ込むしかないが、下着のすぐ上にカイロをあてると、長時間の使用で低温やけどを起こすおそれがある。低温やけどを防ぐために着衣を何枚か重ねた上に用いるか、タオル等にくるんで用いると、就寝中にはずれたり、着衣のずれにともなってカイロ自体が、下腹部からずれてしまう問題点がある。
【課題を解決するための手段】
【０００４】  本発明は、図１のようにパンツのまたがみを深くとって、下腹部にあたる部分にカイロ収納袋（１）を設け、使いすてカイロを収納することで、就寝時等に用いても脱落することがない。収納袋の裏側の肌と接する部分の布は厚手のもので、カイロの熱が緩和されて伝わることから、長時間用いても低温やけどを起こさないのが特徴である。また、他の実施例として図２のように、またがみを深くとったパンツの下腹部部分に厚手の布を用いたカイロあて部（２）を設け、そこに貼るタイプの使いすてカイロを用いると熱が緩和されて伝わり、低温やけどを防ぐ。図３の実施例は、またがみを深くとったパンツの下腹部にあたる部分にあらかじめ使いすてカイロを組み込んだカイロ部（３）を設け、カイロ部裏側だけは厚手の材料を用いて低温やけどを防ぎ、カイロの発熱が終了したら、パンツごと使いすてるのが特徴である。
【発明の効果】
【０００５】  本発明のカイロ付きパンツは、就寝時等に用いても低温やけどを起こさず、長時間用いても下腹部より位置がずれないという利点がある。
【発明を実施するための最良の形態】
【０００６】  就寝時等の尿意の回数を減少させる目的で、通常のものよりまたがみを深くとった下着としてのパンツの下腹部部分に付属させた使いすてカイロを低温やけどを起こさせずに、かつ位置を保つことを実現した。
【実施例】
【０００７】  図１は、本発明の実施例であって、またがみを深くとった下着としてのパンツの下腹部にあたる部分にカイロ収納袋（１）を設け、収納袋の裏側の肌にあたる部分は厚手の布を用いている。【０００８】  図２は、本発明の他の実施例であって、またがみを深くとった下着としてのパンツの下腹部部分に厚手の布を用いたカイロあて部（２）を設け、そこに、貼るタイプの使いすてカイロを用いる。【０００９】  図３は、本発明の他の実施例であって、またがみを深くとった下着としてのパンツの下腹部にあたる部分にあらかじめ使いすてカイロを組み込んだカイロ部（３）を設け、カイロの発熱が終了したらパンツごと使いすてる。カイロ部（３）の裏側の肌にあたる部分には厚い材料を用いて低温やけどを防ぐ。
【産業上の利用可能性】
【００１０】  本発明のパンツを着用することで、下腹部にあてた使いすてカイロを、低温やけどを起こさせることなく、かつその位置もキープしながら用いることができる。
【図面の簡単な説明】
【００１１】
【図１】本発明の男性用のものの斜視図である。
【図２】本発明の男性用のものの他の実施例を示す斜視図である。
【図３】本発明の男性用のものの他の実施例を示す斜視図である。
【符号の説明】
【００１２】  １  カイロ収納袋
２  カイロあて部
３  カイロ部
【図１】
2005290651.tif 000003
【図２】
2005290651.tif 000004
【図３】
2005290651.tif 000005
【手続補正書】
【提出日】平成16年4月26日(2004.4.26)
【手続補正１】
【補正対象書類名】明細書
【補正対象項目名】００１１
【補正方法】変更
【補正の内容】
【００１１】
【図１】  本発明の男性用のものの正面図である。
【図２】  本発明の男性用のものの他の実施例を示す正面図である。
【図３】  本発明の男性用のものの他の実施例を示す正面図である。
(57)【要約】      （修正有）【課題】寝具のタオルケットの肌触りがそのまま股間部分に与えられ下着として今までにない履き心地を得られるだけでなく、通常の下着よりも厚手なため下着一枚で室内にいる際、見た目が短パンを履いているようにも見えるので周囲に不快感を与えない新しい感覚の下着を提供する。【解決手段】生地はハンドタオルやフェイスタオルではなく寝具のタオルケット地の質感が適している。イメージとしてはバスローブのパンツ版のようなもの。それであれば睡眠中パンツを脱ぐことも減るだろうし生地が通常の下着よりも厚手であるため他人からの見た目や衛生面での不快感は減る。他にも用途は沢山あると考えられ、ホテルの宿泊での使用、長距離運転など座りっぱなしの職業の方の使用、汗をかく現場など用途は無限である。【選択図】なし【特許請求の範囲】
【請求項１】
寝具のタオルケットの肌触りがそのまま股間部分に与えられ下着として今までにない履き心地を得られるだけでなく、通常の下着よりも厚手なため下着一枚で室内に居る際、見た目が短パンを履いているようにも見えるので周囲に不快感を与えない新しい感覚の下着。
【発明の詳細な説明】
【技術分野】
【０００１】  シチュエーション、用途は様々。リラックス出来るパンツ。
【背景技術】
【０００２】  見せることに関しては従来の下着の中で男性用であればウエストのゴム部分（ブランドのロゴ等）、女性用であれば股下の浅いズボンを履いてハミ出す下着の柄を見せる程度のものはすでにある。【０００３】  女性物で見せるパンツとして下着の上に履くものでマシュマロパンツというものがある。ズボンではなくスカートの下に履くものでテニスのアンダースコートのようなものである。【０００４】  自宅など室内に居る服装で部屋着の種類の存在としてはパジャマ、Ｔシャツ、短パン、バスローブ、トレーナー、トレーニングパンツ、ジャージ、パンツ等がある。
【発明の開示】
【発明が解決しようとする課題】
【０００５】  独り、もしくは人前だとしてもリラックスするためにパンツ姿になりたい。
でも所詮パンツはパンツ。少し抵抗がある。独り、もしくは人前だとしてもパンツと意識させないような物で部屋着に相当する履き心地の良い下着はないものだろうか？
【問題を解決するための手段】
【０００６】  パンツに見えないようにするために厚手の綿の生地を使用。それがハンドタオルよりもバスタオルよりも厚手のタオルケットである。
【０００７】  形状は股間部分をソフトに包み込むようにするためにボクサーパンツに近いタイプである。
【発明の効果】
【０００８】  感覚的な言い方をすればバスローブ感覚のパンツ。履いた感じはタオルケットが股間を包み込むように型取りしてるので下着としては今までにない心地良さである。
【０００９】  綿素材では厚手のタオルケット生地を使用してる上にボクサーパンツに近い型取りになっているので見た目は短パンに見える。
【００１０】  男女の性交行為後、今までの下着であれば残尿などにより布団にシミを付けてしまう事が多々あったと思うがそれが改善出来る。
【００１１】  生地が通常の下着よりも厚手なので座りとおしの作業をする際には今まであった発汗時のペタつきもなくなり厚手の生地のクッション性により今までの作業後の疲労感が緩和される。
【００１２】  ある程度の使用期間を経たものは雑巾として使用出来、実にエコロジー。
(57)【要約】      （修正有）【課題】容易に装着でき、ずれることのないサポーター付ズボン下を提供する。【解決手段】ズボン下の膝部分にサポーターを縫い付ける。【選択図】図１
2005290648.tif 000002
【特許請求の範囲】
【請求項１】
ズボン下にサポーターを取りつけたものである。
【請求項２】
サポーター取り付けで  なるべくかさばりが出ないようにしたものである。
【請求項３】
活動中にサポーターが  ずれることのないように配慮したものである。
【請求項４】
ガードルの着脱を  簡単にしたものである。
【発明の詳細な説明】
【発明の詳細な説明】
【技術分野】
【０００１】  本発明は、ズボン下にサポーターをぬいつけたものである。
【背景技術】
【０００２】  従来、履くだけで簡単にズボン下とサポーターの機能を果たすものはなかった。
【発明が解決しようとする課題】
【０００３】  ズボン下と  神経痛などによる膝の痛みを押さえるサポーターを別々に装着していたが  時間もかかり  かさばり  仕事中や日常生活の活動中に  サポーターのずれに悩まされていたが  これを解決するものである。
【課題を解決する為の手段】
【０００４】  ズボン下の膝部分にサポーターを縫い付ける。
【発明の効果】
【０００５】  ズボン下を履くだけで  下半身を暖め膝の痛みを和らげるサポーターも付けられるので簡単である。時間も手間もかからず  仕事中や日常生活の活動中もずれることなく快適に動くことができるものである。
【発明を実施するための最良の形態】
【０００６】以下、本発明の実施の形態について説明する。
（イ）  伸縮性のあるズボン下に筒状のサポーターを縫い付ける。
（ロ）  サポーターの下部は  上部より狭くなっており  足になじむようにしておく。
（ハ）  サポーターも伸縮性があり通気性もよく体系になじむものとする。
本発明は  以上のような構成である。
これを使用するときは  ズボン下をはくだけでサポーターも取りつけることができる。
【実施例１】
【０００７】図１に示すように  これを使用するときは  ズボン下をはくだけでサポーターも取りつけることができる。
【図面の簡単な説明】
【０００８】
【図１】本発明の斜視図
【図２】本発明の実施例
【符号の説明】
【０００９】    １．ズボン下
２．サポーター
３．縫い付け部分
【図１】
2005290648.tif 000003
【図２】
2005290648.tif 000004
【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
ズボン下とサポーターを一体させたものでありかさばりがなく  ずれることのないように配慮し  ズボン下とサポーターの着脱を  簡単にしたものである。
(57)【要約】【課題】抗力型垂直軸風・水車の羽根の回転面の上下を円盤で塞ぎその円盤に孔を開けることで風・水車の回転数あるいは出力の向上を可能にする【解決手段】羽根車の上下を板で覆ったサポニウス型風車の上部覆い板の中心部に孔を開け、上部を通過する風によって発生した負圧によりサポニウス型風車内部の空気を吸い出すことで相対的風速を増加させて風車回転数あるいは出力を向上させる【選択図】  図１
2005325829.tif 000002
【特許請求の範囲】
【請求項１】
抗力型垂直軸風・水車の羽根回転面の上下を円盤で塞ぎ，その円盤に穴を開け，風・水車外側の気流あるいは流体流による吸い出し効果によって風・水車内部の流体を吸い出し，回転数あるいは出力の向上を図る形式の風・水車．
【発明の詳細な説明】
【技術分野】
【０００１】  本発明は，抗力型垂直軸風・水車の出力増大方法に関するものである．
【背景技術】
【０００２】  これまでに開発された垂直軸風・水車（回転軸が流れに対し垂直である形式のものを指す．以下風車で代表させる）には，揚力型（風車羽根に生ずる揚力によって回転するもの）と抗力型（風車羽根に当たった風による抗力で回転するもの）がある．このうち揚力型は回転速度が風速を上回ることが可能であるが，発生するトルクが小さいという特徴がある．一方抗力型は発生するトルクは大きいものの，回転速度は風速を上回ることが出来ない．【０００３】  このことから風力発電には高回転が得られる揚力型が用いられるが，羽根に加わる回転力が水平軸型に比して不均一であるため製作が難しくあまり普及せずに終わっている．
【発明の開示】
【発明が解決しようとする課題】
【０００４】  解決しようとする問題点は，水平軸風車が重量のある発電機等をマスト上部に設置し，しかも構造の複雑化の要因となる風向追随装置を必要とする点である．【０００５】  そこで上記した事情に鑑み、発生するトルクの大きく，しかも発電機を下部に設置でき風向追随装置も要しない抗力型垂直軸風車の回転速度を向上させ，トルクと回転数の面で優れた新形式の風車を製作することを課題とし，その設計指針を提供することを目的とする．
【課題を解決するための手段】
【０００６】    本発明は，羽根の上下を板で覆った形式のサボニウス型風車の上部の覆い板の中心部に孔をあけ，上部を通過する風によって発生した負圧によりサボニウス風車内部の空気を吸い出すことで相対的風速を増加させて風車回転数あるいは出力を向上させようとするものである．
【発明の効果】
【０００７】  本発明の垂直軸風車は，気流の吸い出し効果により相対的に流入風速が増加した場合と同様の状況となり，吸い出しのない通常の場合に比して回転数あるいは出力が向上する．
【発明を実施するための最良の形態】
【０００８】  吸い出しの効果を高めるために，風車羽根の間の流路の断面積を奥に行くに従って小さくし，吸い出し孔に導く．更に，風車の孔のある側に，先が広がったベルマウス形の吸い出し部を取り付ける．このことによって一旦狭まった流路が拡大することになり，この開口比を適切に選択することで吸い出しの効果を高めさらなる増速を図ることが出来る．
【実施例】
【０００９】  図１は本発明装置の実施例を示す．風車の周りには集風板を設置し，風車羽根の背の部分にあたる風の低減と順方向の風の集風効果を更に高めている．また図２は基本となる風車に各集風装置を一つづつ加えていった場合の風車回転数の変化の様子を示す．この図から，特に本発明の孔を加えた場合，風車回転数が１００〜２００ｒｐｍ増加することがわかる．また，曲線の左端がそれぞれの形式での最低可動風速を表すが，孔にベルマウスを加えた形式がもっとも低い風速で運転を開始しているのが解る．図３はこの装置を上下方向に分離したものの概略図である．
【産業上の利用可能性】
【００１０】  風車の理論から，風車出力は風速の３乗に比例するので，わずかでも平均風速が高い場所に風車を設置することでより大きな出力を得る事が出来る．従って，高層ビルの周りのビル風など都市空間内の強風を本発明の風車と組み合わせることで，水平軸とは異なりコンパクトで可動部分が少ない風車として，非常用電源をはじめとする広い用途の電源として使用することが出来る．
【図面の簡単な説明】
【００１１】
【図１】発明風車の運転時の概略図
【図２】発明風車の運転データの例
【図３】発明風車の組み立て図
【符号の説明】
【００１２】１  集風部
２  集風板
３  風車羽根（可動）
４  中心部に行くにつれ断面積が小さくなる風の流路
５  吸い出し孔
６  風車部
７  ベルマウス台座
８  ベルマウス
９  風車羽根背面（この図の位置で風が手前から吹く場合）
【図１】
2005325829.tif 000003
【図２】
2005325829.tif 000004
【図３】
2005325829.tif 000005
(57)【要約】【課題】従来の貯水型ダム発電システムは、立地条件が難しく、又、多額の資本投下が必要であった。もっと容易に発電できるシステムの開発が望まれていた。【解決手段】  流木などの影響を受けないよう川底に多数の水中発電機を設置する。送電ケーブルは川底を通し電力室へ送る。土石流の影響を受けないよう防護柵を川上側に設置する。又、落雷の影響を受けないよう土手に避雷針を設置する。【選択図】  図１
2005325845.tif 000002
【特許請求の範囲】
【請求項１】
避雷針と防護柵を備えた、多数の水中発電機による河川での発電システム。
【発明の詳細な説明】
【技術分野】
【０００１】
本発明は、多数の水中発電機による河川での発電システムに関するものである。
【背景技術】
【０００２】
従来は、貯水型のダム発電システムで、多数の水中発電機による大規模な発電システムは無かった。
【発明の開示】
【発明が解決しようとする課題】
【０００３】
従来の貯水型ダム発電システムは場所を選ぶうえ、多額の資本投下を余儀なくされるものであった。本発明は、この課題を解消するためになされたものである。
【課題を解決するための手段】
【０００４】
河川の上下流を問わず多数の水中発電機を川底に設置し、合計として大電力を得る。流木などの影響を受けないよう河川の深部に設置する。送電ケーブルは川底を通し電力室へ送る。土石を防ぐため川内に防護柵を、又、落雷を防ぐため川岸に避雷針を設置する。
【発明の効果】
【０００５】
本発明は、河川の上下流を問わず、流れのある所ならば、どこでも手軽に発電システムを設置できる。風力発電のように風の凪を気にする事もなく、又、大型のダム発電システムのように近隣住民の立ち退きも必要ない。資本投下は、比較的、少なくてすむ。
【実施例】
【０００６】
図１は、本発明装置の川断面付投影図であり、川底に多数の水中発電機が配置されている。
【産業上の利用可能性】
【０００７】
河川の上下流を問わず設置できるので利用可能性は、高い。火力発電は、温暖化の原因となるし、原子力発電は、廃棄物の問題がある。風力発電は、設置場所が問題であるし風の凪の問題がある。ダム型水力発電は、立地条件が難しい。
【図面の簡単な説明】
【０００８】
【図１】川の断面を含む、本電力システムの投影図である。
【符号の説明】
【０００９】
１  水中発電機
２  防護柵
３  避雷針
４  土手
５  川面
【図１】
2005325845.tif 000003
(57)【要約】 【課題】老化防止など美容を目的とする皮膚外用剤。【解決手段】０．０００１重量％から１０．０重量％のユビキノン（ユビデカレノンまたはコエンザイムＱ１０）のアルカリ塩を配合した老化防止など美容を目的とする皮膚外用剤。ユビキノンは一般的に老化を改善する皮膚外用剤に配合されているが、多くの基剤原料に溶解性が低く、皮膚外用剤に用いる時、配合する事が困難であった。この問題を解決する方法としてユビキノンのアルカリ塩を作成し、皮膚外用剤に配合したところ有用な皮膚外用剤を得た。【選択図】なし【特許請求の範囲】
【請求項１】
０．０００１重量％から１０．０重量％のユビキノン（ユビデカレノンまたはコエンザイムＱ１０）のアルカリ塩を配合した老化防止など美容を目的とする皮膚外用剤。
【発明の詳細な説明】
【技術分野】
【０００１】
本発明は、種々の皮膚の老化を解消防止するための皮膚外用剤を提供する。  
【背景技術】
【０００２】
ユビキノンは一般的に美白皮膚外用剤や皺を改善する皮膚外用剤、または痩身を目的とする皮膚外用剤として多くの特許が出されている。  しかし、ユビキノンは、多くの基剤原料に溶解性が低く、皮膚外用剤に用いる時、配合する事が困難であった。  また、その独特の黄褐色の色調のため大量に配合する事も困難であった。  この問題を解決する方法として特許公表平１０-５０９７３２に水溶性ユビキノン蘇生物、プロドラッグに関連した方法が報告されており、ユビキノールのＣ１およびＣ４位の可溶化部分を親水基で修飾し、水溶性を高めている。  しかしながら、この方法は、原料加工費が上昇する事や界面活性が上昇することから安全性上の問題点が発生すると考えられる。
【特許文献１】特許公表平１０-５０９７３２
【発明の開示】
【発明が解決しようとする課題】
【０００３】
従来の技術では、ユビキノンを効果のある濃度で皮膚外用剤として配合する事が困難であった。
【課題を解決するための手段】
【０００４】
０．０００１重量％から１０．０重量％のユビキノン（ユビデカレノンまたはコエンザイムＱ１０）のアルカリ塩を配合した老化防止など美容を目的とする皮膚外用剤。
【０００５】
本発明は、ユビキノンの溶解性の問題を解決し、効果のある皮膚外用剤とする事が出来る。また、種々の化粧品基剤原料や有効性成分と併用する事によりさらに効果のある皮膚外用剤を得ることが可能である。
【０００６】
以下実施例をあげて、その効果を説明する。実施例として、ユビキノンと水酸化ナトリウムの塩（以下ユビキノンＮａ）を説明する。  ユビキノンＮａは、ユビキノンをアセトンに溶解し、２倍モルの水酸化ナトリウム水溶液を加え、湯浴上で加熱後、溶剤と水を蒸発させ乾個し得た。  溶剤としては、ユビキノンが溶解する揮発性の溶剤であれば問題ないが、出来れば化粧品原料として認められている物が望ましい。  その可視紫外線分光光度計によるスペクトル測定では、特徴的なユビキノンの２７５ｎｍの吸収スペクトルが消失し、約３００ｎｍにユビキノンＮａのスペクトルを認める。表１  ユビキノンの塩を製造するアルカリは、水酸化ナトリウムや水酸化カリウム、水酸化カルシウムなど多くの無機性のアルカリを用いる他有機性のアルカリも用いる事が出来る。
【０００７】
【表１】
2005325028.tif 000002
【０００８】
一般に有機化学事典によれば、ユビキノンは水に不溶，エタノールに難溶であるが、ユビキノンＮａは、容易に水に溶解した。そのユビキノンＮａを配合した皮膚外用剤として実施例１と比較例を表２に記載した。実施例１にはユビキノンＮａを１．０％配合し、比較例では同量のユビキノンを配合した。  調合方法は、特に難しい製造工程を必要とせず、全ての原料を秤量し、攪拌機で良く撹拌し均一にした後、遮光瓶に充てんし使用に供する事ができる。  
【０００９】
【表２】
2005325028.tif 000003
【００１０】
実施例１は、透明な微褐色を帯びた液であったが、比較例では黄褐色の粉体が溶解せず、肌のざらつきが酷く皮膚外用剤として使用できなかった。
【００１１】
実施例１を年齢４０から４５歳の女性５人に約１ヶ月にわたり使用させた結果、５例中３例に皮膚の明度の低下を認め、５例中２例に皺の改善を認め、皮膚外用剤として有用な事が判明した。
(57)【要約】【課題】  扉パネルの上辺と上レール溝との間の隙間を見えないようにして建て付け不良による扉パネルの見た目の傾きを防止する。【解決手段】  扉パネルの上辺に横方向の突出部を形成し、扉パネルの下辺に戸車を取り付け、開口部に設けた上下のレールの溝に突出部と戸車を挿入して扉パネルを開閉自在に配設した引戸装置において、前記突出部が、所定間隔をおいた２本の同高さのリブ４ａを一方のリブ４ａの正面が扉パネル１の正面側となるパネル面と面一になるように形成し、上レール７の溝７ａと扉パネル１の上辺との間の隙間が見えないようにした。【選択図】図３
2005325631.tif 000002
【特許請求の範囲】
【請求項１】
扉パネルの上辺に横方向の突出部を形成し、扉パネルの下辺に戸車を取り付け、開口部に設けた上下のレール溝に突出部と戸車を挿入して扉パネルを開閉自在に配設した引戸装置において、前記突出部が、その正面を扉パネルの正面側となるパネル面と面一になるように上方へ延長して形成し、上レール溝と扉パネルの上辺との間の隙間を正面側から見えなくしたことを特徴とする引戸装置。
【請求項２】
突出部が、所定間隔をおいた２本の同高さのリブを一方のリブの正面が扉パネルの正面側となるパネル面と面一になるように上方へ延長して形成した構造である請求項１記載の引戸装置。
【発明の詳細な説明】
【技術分野】
【０００１】
本発明は、開口部に設けた上下のレール間に扉パネルを横方向へ開閉自在に配設した引戸装置に関する。
【背景技術】
【０００２】
従来、扉パネルの上辺に横方向の突出部を形成し、扉パネルの下辺に戸車を取り付け、開口部に設けた上下のレール溝に突出部と戸車を挿入して扉パネルを開閉自在に配設した引戸装置が特許文献１，２に開示されている。
【０００３】
ところで、これらの技術は扉パネルを正面側から見た際、扉パネルの上辺と上レール溝との間に隙間が形成されているが、レールや扉パネルの建て付け具合によっては前記隙間が均一にならず、扉パネルが傾いて見えるなどの問題があった。
【特許文献１】実開平５−１４４６２号公報
【特許文献２】実開平７−２１９９３号公報
【発明の開示】
【発明が解決しようとする課題】
【０００４】
本発明が解決しようとする課題は、従来のこれらの問題点を解消し、扉パネルの上辺と上レール溝との間の隙間を正面側から見えないようにすることのできる引戸装置を提供することにある。
【課題を解決するための手段】
【０００５】
かかる課題を解決した本発明の構成は、
１）  扉パネルの上辺に横方向の突出部を形成し、扉パネルの下辺に戸車を取り付け、開口部に設けた上下のレール溝に突出部と戸車を挿入して扉パネルを開閉自在に配設した引戸装置において、前記突出部が、その正面を扉パネルの正面側となるパネル面と面一になるように上方へ延長して形成し、上レール溝と扉パネルの上辺との間の隙間を正面側から見えなくしたことを特徴とする引戸装置
２）  突出部が、所定間隔をおいた２本の同高さのリブを一方のリブの正面が扉パネルの正面側となるパネル面と面一になるように上方へ延長して形成した構造である前記１）記載の引戸装置
にある。
【発明の効果】
【０００６】
本発明によれば、突出部の側面を扉パネルの正面側のパネル面と面一にしたから、扉パネルの正面側が上レール溝に直に挿入されるような形態となり、扉パネルの上辺と上レール溝との間に隙間が見えなくなる。従って、レールや扉パネルの建て付け具合が不良でも扉パネルが傾いて見えることなく見掛けに優れる。
【発明を実施するための最良の形態】
【０００７】
本発明をサッシ戸に応用する場合は、突出部の構造を所定間隔おいた２本の同高さのリブを一方のリブの正面が扉パネルの正面側となるパネル面と面一となるように突設したものとすると、リブは薄いから加工機での加工が容易となり、レール間への配設時に寸法合わせが容易となる。以下、本発明の実施例を図面に基づいて具体的に説明する。
【実施例１】
【０００８】
図１〜３に示す実施例は、本発明の引戸装置を家具に適用した例である。図１は実施例の扉パネルの正面図、図２は図１のＡ−Ａ断面図、図３は実施例の上框の拡大断面図である。
【０００９】
本実施例の扉パネル１はサッシからなり、縦框２・下框３・上框４とで四方枠組みされ、背面側に形成した支持片４ｂと縦框２及び下框３の図示しない支持片で板ガラス５を四方から挟持して組み立てている。
【００１０】
下框３には凹所を形成して戸車６を２体埋設し、上框４には本発明の突出部である４．６ｍｍの間隔をおいた９ｍｍの高さの２本のリブ４ａを図３において右側のリブ４ａの正面が扉パネル１の正面側となるパネル面と面一になるように上方へ延長して形成している。
【００１１】
この扉パネル１を戸棚等の家具の開口上下に設けた上レール７の溝７ａ及び図示しない下レールの溝にリブ４ａと戸車６をそれぞれ挿入し、扉パネル１を開閉自在に配設する。
【００１２】
この状態を正面側から見ると、扉パネル１の上辺が上レール７の溝７ａに直に挿入されているような形態となるから、扉パネル１の上辺と上レール７との間に隙間が見えない。従って、上レール７や図示しない下レールや扉パネル１の建て付けに多少の不良があっても扉パネル１が傾いて見えることなく見掛けに優れるものとなった。
【産業上の利用可能性】
【００１３】
本発明の引戸構造は、主として家具用に好適であるが、その他一般の開口部にも応用できる。
【図面の簡単な説明】
【００１４】
【図１】実施例の扉パネルの正面図である。
【図２】図１のＡ−Ａ断面図である。
【図３】実施例の上框の拡大断面図である。
【符号の説明】
【００１５】
１  扉パネル
２  縦框
３  下框
４  上框
４ａ  リブ
４ｂ  支持片
５  板ガラス
６  戸車
７  上レール
７ａ  溝
【図１】
2005325631.tif 000003
【図２】
2005325631.tif 000004
【図３】
2005325631.tif 000005
(57)【要約】【課題】簡単な構造で浅い河川や湖沼の水底土砂の除去に適した水底土砂の掻き出し作業船を提供する。【解決手段】前進あるいは後進により水底土砂をショベルにより掻き出す作業船であって、作業船１の船首に取り付けられたショベル支持フレーム３に、このショベル支持フレーム３に沿って油圧ウインチ５のワイヤ４によって昇降する、水底土砂を掻き出すショベル２が支持されている。【選択図】図１
2005325634.tif 000002
【特許請求の範囲】
【請求項１】
前進あるいは後進により水底土砂をショベルにより掻き出す作業船であって、作業船の船首に取り付けられたショベル支持フレームに、このショベル支持フレームに沿って油圧ウインチのワイヤによって昇降する、水底土砂を掻き出すショベルが支持されていることを特徴とする水底土砂の掻き出し作業船。
【発明の詳細な説明】
【技術分野】
【０００１】
本発明は、河川、湖沼などの水底に堆積している土砂を掻き出す水底土砂の掻き出し作業船に関する。
【背景技術】
【０００２】
河川、湖沼などの水底に堆積している土砂を浚渫するのに、油圧ショベルを備えた作業船や水中ブルトーザーが利用されている。油圧ショベルを備えた作業船の場合、例えば、特許文献１に示されているように、台船に旋回可能な油圧ショベルが搭載され、油圧ショベルが備えたバケットで水中の土砂をすくい上げて油圧ショベルを旋回させて土砂を土砂運搬船に投入するなどの作業を行う。
【０００３】
また、水中ブルトーザーの場合、例えば、特許文献２に示されているように、水没状態で水底に沿い走行しうる水中作業機を遠隔制御して掘削や浚渫などの作業を行う。
【特許文献１】特開平９−８８１１５号公報
【特許文献２】特開平９−２９６４７７号公報
【発明の開示】
【発明が解決しようとする課題】
【０００４】
油圧ショベルを備えた作業船の場合、油圧ショベルが大きな重量を有するため、台船が大型となって作業場所が限定されるため、浅い河川や湖沼などに利用することがほとんど不可能である。
【０００５】
また、水中ブルトーザーの場合は、遠隔操作であり高価となるだけでなく、土砂に埋まって動けなくなる場合があり、そのため、その引き上げ作業に手間がかかるという欠点もある。
【０００６】
そこで、本発明は簡単な構造で浅い河川や湖沼の水底土砂の除去に適した水底土砂の掻き出し作業船を提供するものである。
【課題を解決するための手段】
【０００７】
本発明は、前進あるいは後進により水底土砂をショベルにより掻き出す作業船であって、作業船の船首に取り付けられたショベル支持フレームに、このショベル支持フレームに沿って油圧ウインチのワイヤによって昇降する、水底土砂を掻き出すショベルが支持されていることを特徴とする。
【発明の効果】
【０００８】
本発明の作業船は、ショベルを船首から降ろす構造であるため、作業船が小型となり、浅い場所、狭い場所でも船が航行でき、従来、橋の下部など浚渫機械の高さが制限されて土砂の掻き出しが複雑な工法に頼らなくてはならなかった場所でも効率よく作業することが可能となる。
【発明を実施するための最良の形態】
【０００９】
図１は本発明による作業船の一実施例を示し、（ａ）は側面図、（ｂ）は平面図、図２は作業船に装着するバケットを示し、（ａ）は正面図（ｂ）は側面図である。
【００１０】
図１において、作業船１の船首には、ショベル２を昇降可能に支持するショベル支持フレーム３が装着される。ショベル２はショベル支持フレーム３に沿って昇降する。ショベル２の先端には複数の爪２ａが形成されている。ショベル支持フレーム３の下部はショベル２が下降する際に前へ移動するような曲率に形成されている。また、ショベル支持フレーム３は深さに応じて交換できるようにする。
【００１１】
図２において、ショベル２は、その上部が２本のワイヤ４により間隔をおいて固定されてショベル支持フレーム３に吊り下げられている。ワイヤ４は、ショベル支持フレーム３の上部に配置されたシーブ６を介して作業船１の甲板に配置された油圧ウインチ５により巻き取り巻き戻しされ、油圧ウインチ５の巻き取り巻き戻しによりショベル２をショベル支持フレーム３に沿って昇降させる。ショベル２の昇降の程度によって掘削土の深度の調整が可能となる。
【００１２】
次に、本発明の作業船による水底土砂の掻き出しについて説明する。
【００１３】
作業船１を水底土砂の掻き出し場所に移動させた後、油圧ウインチ５を巻き戻してショベル２をショベル支持フレーム３に沿って下降させて所定の深度に位置させる。その後、作業船１を前進あるいは後進させることによりショベル２を移動させて水底土砂の押土あるいは掻き出しにより土砂を排除していく。
【産業上の利用可能性】
【００１４】
本発明の作業船は、土砂が水底に堆積した浅い河川や湖沼の水底土砂の掻き出し作業に利用することができる。
【図面の簡単な説明】
【００１５】
【図１】本発明による作業船の一実施例を示し、（ａ）は側面図、（ｂ）は平面図である。
【図２】作業船に装着するバケットを示し、（ａ）は正面図（ｂ）は側面図である。
【符号の説明】
【００１６】
１：作業船
２：ショベル
２ａ：爪
３：ショベル支持フレーム
４：ワイヤ
５：油圧ウインチ
６：シーブ
【図１】
2005325634.tif 000003
【図２】
2005325634.tif 000004